(57)【要約】【課題】ハードウエアの大幅な増加を招くことなく、音声入力によってリモートコントロールを行う。【解決手段】マイク１に入力された音声を音声信号記録メモリ３に記録するとともに、音声信号記録メモリ３に記録した音声を再生する構成に適用しており、音声信号記録メモリ３に記録されたデジタル音声信号の音声認識を行うことにより、マイク１に入力された音声により示される指示内容を音声認識する音声認識手段１１と、音声認識された指示内容を制御コードに変換するコード変換手段２２と、コード変換手段２２において変換された制御コードをリモコン信号として送信する送信手段１５とを備えている。【選択図】  図１
2005292693.tif 000002
【特許請求の範囲】
【請求項１】
マイクに入力された音声を音声信号記録メモリに記録するときの情報と、音声信号記録メモリに記録した音声を再生するときの情報とが表示される表示手段を備えたボイスレコーダにおいて、
音声信号記録メモリに記録されたデジタル音声信号の音声認識を行うことにより、マイクに入力された音声により示される指示内容を音声認識する音声認識手段と、
外部から送信されるリモコン信号を受信する受信手段と、
受信されたリモコン信号により示される制御コードを解析するとともに、解析した制御コードを指示内容に対応付けてコード記憶手段に記憶するコード解析手段と、
コード記憶手段に記憶された制御コードと指示内容との対応関係に基づいて、音声認識手段により音声認識された指示内容を制御コードに変換するコード変換手段と、
コード変換手段において変換された制御コードをリモコン信号として送信する送信手段と、
送信キーとを備え、
音声認識手段は、音声認識に失敗するまで、入力された音声の順序に従って音声認識を行い、
表示手段には、音声認識手段が音声認識に成功した指示内容が音声認識を行った順序で表示されるとともに、リモコン信号の送信可能を示す送信可能情報が表示され、
音声認識手段が音声認識に成功した指示内容と送信可能情報とが表示手段に表示された状態において送信キーが操作されたときには、表示手段に表示された指示内容に対応する制御コードが、表示手段に表示された指示内容に対応する順序でリモコン信号として送信されることを特徴とするボイスレコーダ。
【請求項２】
マイクに入力された音声を音声信号記録メモリに記録するとともに、音声信号記録メモリに記録した音声を再生するボイスレコーダにおいて、
音声信号記録メモリに記録されたデジタル音声信号の音声認識を行うことにより、マイクに入力された音声により示される指示内容を音声認識する音声認識手段と、
音声認識された指示内容を制御コードに変換するコード変換手段と、
コード変換手段において変換された制御コードをリモコン信号として送信する送信手段とを備えたことを特徴とするボイスレコーダ。
【請求項３】
音声の録音時における情報と音声の再生時における情報とが表示される表示手段を備えた請求項２記載のボイスレコーダにおいて、
送信キーを備え、
音声認識手段が音声により示される指示内容の音声認識に成功したときには、リモコン信号を送信可能であることを示す送信可能情報が表示手段に表示され、
送信可能情報が表示手段に表示された状態において送信キーが操作されたときにリモコン信号が送信されることを特徴とするボイスレコーダ。
【請求項４】
表示手段には音声認識手段によって音声認識された指示内容が表示されることを特徴とする請求項３記載のボイスレコーダ。
【請求項５】
音声認識手段は、マイクに入力された音声が複数の指示内容を示す音声となるときには、音声認識に失敗するまで、入力された音声の順序に従って音声認識を行い、
表示手段には、音声認識手段が音声認識に成功した指示内容が音声認識を行った順序で表示され、
音声認識手段が音声認識に成功した指示内容が表示手段に表示された状態において送信キーが操作されたときには、表示された指示内容に対応する制御コードが、表示手段に表示された指示内容に対応する順序でリモコン信号として送信されることを特徴とする請求項４記載のボイスレコーダ。
【請求項６】
表示手段と、
送信キーとを備え、
音声認識手段が音声により示される指示内容の音声認識に成功したときには、リモコン信号を送信可能であることを示す送信可能情報が表示手段に表示され、
送信可能情報が表示手段に表示された状態において送信キーが操作されたときにリモコン信号が送信されることを特徴とする請求項２記載のボイスレコーダ。
【発明の詳細な説明】
【技術分野】
【０００１】
本発明は、マイクに入力された音声を音声信号記録メモリに記録するとともに、音声信号記録メモリに記録した音声を再生するボイスレコーダに係り、より詳細には、マイクに入力された音声を音声認識して得られた指示内容に対応したリモコン信号の送信機能を備えたボイスレコーダに関するものである。
【背景技術】
【０００２】
リモートコントローラを用いて、テレビ受像機等のＡＶ機器の動作を制御する場合には、リモートコントローラに設けられたキースイッチを操作することになるが、ＡＶ機器の機能の高度化に伴い、キースイッチの操作が複雑化している。このため、老人や幼い子供にとっては、これらのキースイッチの操作が難しく、使い慣れるのに苦労する。このような問題を解決するため、音声によって指示を入力する技術が提案されている（第１の従来技術とする）。すなわち、この技術においては、リモートコントローラに入力された音声は、アナログ音声信号として、テレビ受像機の傍らに設けられた受信装置の側に送信される。そして、受信装置の側において音声認識され、リモートコントロール信号用の制御コードに変換される。そして後、変換された制御コードを示す信号は、ケーブル等を介してテレビ受像機の側に送出され、テレビ受像機の側において、動作の指示内容に変換されるようになっている。このため、リモートコントローラに音声を用いて動作の指示を入力すると、テレビ受像機の側では、入力された音声により指示された動作が実行される（例えば、特許文献１参照）。
【０００３】
また、以下に示す技術が提案されている（第２の従来技術とする）。すなわち、この技術では、サーバが提供する情報の閲覧機能を有するテレビと、テレビの閲覧機能により得られた閲覧内容に対して所定の処理を行う情報処理手段と、音声認識によりテレビに対して遠隔操作を行うリモコン手段とを備えている。そして、閲覧内容には、テレビを操作する機能コードと音声認識対象語とを対応付けた機能セットを含むようにしている。そして、リモコン手段は、情報処理手段から送信された機能セットに含まれている音声認識対象語に対応する読みをユーザに発声させて音声認識を行ない、認識結果に対応する機能信号によってテレビを遠隔操作するようになっている。従って、音声対象認識語の入れ換えが自由となり、制御を自由に拡大することができるようになっている（例えば、特許文献２参照）。
【０００４】
また、以下に示す技術が提案されている（第３の従来技術とする）。すなわち、この技術においては、認識対象語を、『スイッチ・オン』や『スイッチ・オフ』といったように、複数種の機器に共通となる認識対象語と、『早送り』や『巻き戻し』といったように、特定の機器にのみ使用される認識対象語とに分けて記憶するようになっている。このため、『スイッチ・オン』や『スイッチ・オフ』といったように、複数種の機器に共通となる認識対象語は１組のみを記憶すればよいことになる。その結果、操作対象のそれぞれについて、『スイッチ・オン』や『スイッチ・オフ』といったような、複数種の機器に共通となる認識対象語を記憶するとともに、『早送り』や『巻き戻し』といったような、特定の機器にのみ使用される認識対象語とを併せて記憶する構成と比較した場合、記憶しなければならない認識対象語の数を減らすことができるようになっている。また、例えば『テレビ』という音声を発すると、以下に発せられる音声は、テレビの動作を指示する音声であるとして、音声認識を行うようになっている。このため、入力された音声が、テレビ以外の機器の動作を指示する音声として認識されるという誤った認識動作が防止され、誤認識率を低下させることができるようになっている（例えば、特許文献３参照）。
【特許文献１】特開２００３−２１９２０１号公報（第００４５−００４９段落、第  図）
【特許文献２】特開２００２−１０１３１５号公報（第００１６−００３９段落）
【特許文献３】特開２００２−２３２９７３号公報（第０００８，００２４−００２５段落）
【発明の開示】
【発明が解決しようとする課題】
【０００５】
しかしながら第１の従来技術を用いる場合には、以下に示す問題を生じていた。すなわち、リモートコントローラに入力された音声は、アナログ音声信号として、テレビ受像機の傍らに設けられた受信装置の側に送信されるようになっている。このため、リモートコントローラの側には、アナログ音声信号を送信する送信手段が必要となる。また、受信装置の側には、リモートコントローラから送信されたアナログ音声信号を受信する受信手段が不可欠となる。このため、ハードウエアの規模が増大する。さらに、受信装置の側では、受信手段により得られたアナログ音声信号をデジタル音声信号に変換するためのＡ／Ｄ変換回路、および、音声認識の認識対象となるデジタル音声信号を一時的に記憶するメモリが不可欠となるので、メモリに記憶されたデジタル音声信号を音声認識するための音声認識手段を除いて考慮する場合であっても、音声による遠隔操作を可能とするためには、多くのハードウエアの追加が必要となって、部品点数の大幅な増加を招き、家電製品に適用する場合には、大幅なコストアップのため、商品化が困難な技術となっている。
【０００６】
また第２の従来技術においては、リモコン手段は、情報処理手段から送信された機能セットに含まれている音声認識対象語に対応する読みをユーザに発声させて音声認識を行なうようになっているので、ユーザが発声した音声を入力するためのマイク、マイクから出力されるアナログ音声信号をデジタル音声信号に変換するためのＡ／Ｄ変換器、音声認識の認識対象となるデジタル音声信号を記憶するためのメモリが必要となる。つまり、メモリに記憶されたデジタル音声信号を音声認識するための音声認識手段を除いて考慮する場合であっても、音声による遠隔操作を可能とするためには、マイク、Ａ／Ｄ変換回路、および、デジタル音声信号を記憶するためのメモリが必要となる。その結果、部品点数の増加を招き、家電製品に適用する場合には、大幅なコストアップのため、商品化が困難な技術となっている。
【０００７】
また第３の従来技術においては、例えば『テレビ』という音声を発すると、以後に発せられる音声は、テレビの動作を指示する音声であるとして、音声認識を行うようになっている。このため、ユーザが発声した音声を入力するためのマイク、マイクから出力されるアナログ音声信号をデジタル音声信号に変換するためのＡ／Ｄ変換器、音声認識の認識対象となるデジタル音声信号を記憶するためのメモリが必要となる。つまり、メモリに記憶されたデジタル音声信号を音声認識するための音声認識手段を除いて考慮する場合であっても、音声による遠隔操作を可能とするためには、マイク、Ａ／Ｄ変換回路、および、デジタル音声信号を記憶するためのメモリが必要となる。その結果、部品点数の増加を招き、家電製品に適用する場合には、大幅なコストアップのため、商品化が困難な技術となっている。
【０００８】
本発明は、上記の問題点を解決するため創案されたものであり、その目的は、ハードウエアの大幅な増加を招くことなく、音声入力によってリモートコントロールを行うことのでき、且つ、音声入力がうまくいったかどうかを確認することのでき、且つ、音声入力した内容を確認することのでき、且つ、音声によって複数の指示内容を連続して入力することのでき、且つ、制御対象が異なるときにも、制御対象に対応したリモコン信号を送信することのできるボイスレコーダを提供することにある。
【０００９】
また本発明は、メモリ素子を記録媒体として、音声を記録再生する場合に不可欠となるマイク、Ａ／Ｄ変換器、メモリ素子を、音声認識の回路構成と共用とする場合には、音声を用いて動作の指示を入力することが可能なリモートコントロール機能を備えるときにも、追加が必要なハードウエアの量が抑制されることに着目して創案されたものであり、その目的は、ハードウエアの大幅な増加を招くことなく、音声入力によってリモートコントロールを行うことのできるボイスレコーダを提供することにある。
【００１０】
また上記目的に加え、指示内容の音声認識に成功したときには、リモコン信号を送信可能であることを示す送信可能情報を表示することにより、音声入力がうまくいったかどうかを確認した後にリモコン信号を送信することのできるボイスレコーダを提供することにある。
【００１１】
また上記目的に加え、音声認識された指示内容を表示することにより、音声入力した内容を確認することのできるボイスレコーダを提供することにある。
【００１２】
また上記目的に加え、音声によって複数の指示内容を連続して入力することのできるボイスレコーダを提供することにある。
【課題を解決するための手段】
【００１３】
上記の課題を解決するため、本発明に係るボイスレコーダは、マイクに入力された音声を音声信号記録メモリに記録するときの情報と、音声信号記録メモリに記録した音声を再生するときの情報とが表示される表示手段を備えたボイスレコーダに適用しており、音声信号記録メモリに記録されたデジタル音声信号の音声認識を行うことにより、マイクに入力された音声により示される指示内容を音声認識する音声認識手段と、外部から送信されるリモコン信号を受信する受信手段と、受信されたリモコン信号により示される制御コードを解析するとともに、解析した制御コードを指示内容に対応付けてコード記憶手段に記憶するコード解析手段と、コード記憶手段に記憶された制御コードと指示内容との対応関係に基づいて、音声認識手段により音声認識された指示内容を制御コードに変換するコード変換手段と、コード変換手段において変換された制御コードをリモコン信号として送信する送信手段と、送信キーとを備え、音声認識手段は、音声認識に失敗するまで、入力された音声の順序に従って音声認識を行い、表示手段には、音声認識手段が音声認識に成功した指示内容が音声認識を行った順序で表示されるとともに、リモコン信号の送信可能を示す送信可能情報が表示され、音声認識手段が音声認識に成功した指示内容と送信可能情報とが表示手段に表示された状態において送信キーが操作されたときには、表示手段に表示された指示内容に対応する制御コードが、表示手段に表示された指示内容に対応する順序で、リモコン信号として送信されるようになっている。
【００１４】
すなわち、音声認識手段とコード変換手段と送信手段とを追加するのみで、入力された音声により示される指示内容に対応したリモコン信号を送信することができ、且つ、入力された音声を認識できたことが示され、且つ、音声によって入力した指示内容を確認することができ、且つ、複数の指示内容を連続的に入力するときに、入力がうまくいった指示内容については、入力した指示内容が、入力した順序で送信され、且つ、制御対象が異なるときにも、制御対象に対応したリモコン信号を送信することができる。
【００１５】
また本発明に係るボイスレコーダは、マイクに入力された音声を音声信号記録メモリに記録するとともに、音声信号記録メモリに記録した音声を再生するボイスレコーダに適用しており、音声信号記録メモリに記録されたデジタル音声信号の音声認識を行うことにより、マイクに入力された音声により示される指示内容を音声認識する音声認識手段と、音声認識された指示内容を制御コードに変換するコード変換手段と、コード変換手段において変換された制御コードをリモコン信号として送信する送信手段とを備えている。
【００１６】
すなわち、音声認識手段とコード変換手段と送信手段とを追加するのみで、入力された音声により示される指示内容に対応したリモコン信号を送信することができる。
【００１７】
また、上記構成に加え、音声の録音時における情報と音声の再生時における情報とが表示される表示手段を備えたボイスレコーダに適用されており、送信キーを備え、音声認識手段が音声により示される指示内容の音声認識に成功したときには、リモコン信号を送信可能であることを示す送信可能情報が表示手段に表示され、送信可能情報が表示手段に表示された状態において送信キーが操作されたときにリモコン信号が送信されるようになっている。すなわち、入力された音声を認識できたことが示される。
【００１８】
また、上記構成に加え、表示手段には音声認識手段によって音声認識された指示内容が表示されるようになっている。すなわち、音声によって入力した指示内容を確認することができる。
【００１９】
また、上記構成に加え、音声認識手段は、マイクに入力された音声が複数の指示内容を示す音声となるときには、音声認識に失敗するまで、入力された音声の順序に従って音声認識を行い、表示手段には、音声認識手段が音声認識に成功した指示内容が音声認識を行った順序で表示され、音声認識手段が音声認識に成功した指示内容が表示手段に表示された状態において送信キーが操作されたときには、表示された指示内容に対応する制御コードが、表示手段に表示された指示内容に対応する順序でリモコン信号が送信されるようになっている。すなわち、複数の指示内容を連続的に入力するときに、入力がうまくいった指示内容については、入力した指示内容が、入力した順序で送信される。
【００２０】
また、上記構成に加え、表示手段と、送信キーとを備え、音声認識手段が音声により示される指示内容の音声認識に成功したときには、リモコン信号を送信可能であることを示す送信可能情報が表示手段に表示され、送信可能情報が表示手段に表示された状態において送信キーが操作されたときにリモコン信号が送信されるようになっている。すなわち、入力された音声を認識できたことが示される。
【発明の効果】
【００２１】
本発明によれば、音声認識手段とコード変換手段と送信手段とを追加するのみで、入力された音声により示される指示内容に対応したリモコン信号を送信することができる。また、入力された音声を認識できたことが示される。また、音声によって入力した指示内容を確認することができる。また、複数の指示内容を連続的に入力するときに、入力がうまくいった指示内容については、入力した指示内容が、入力した順序で送信される。また、制御対象が異なるときにも、制御対象に対応したリモコン信号が送信される。このため、回路構成の大幅な増加を招くことなく、音声入力によってリモートコントロールを行うことができ、且つ、音声入力がうまくいったかどうかを確認することができ、且つ、音声入力した内容を確認することができ、且つ、音声によって複数の指示内容を連続して入力することができ、且つ、制御対象が異なるときにも、制御対象に対応したリモコン信号を送信することができる。
【００２２】
また本発明によれば、音声認識手段とコード変換手段と送信手段とを追加するのみで、入力された音声により示される指示内容に対応したリモコン信号を送信することができるので、ハードウエアの大幅な増加を招くことなく、音声入力によってリモートコントロールを行うことができる。また、リモコン信号を送信するための操作は、常に同じ送信キーを押下する操作となるので、リモコン信号の送信のための操作が簡単となる。つまり、簡単な操作を行うのみで、ＡＶ機器等の動作を制御することが可能なリモコン機能を、安価に実現することができる。
【００２３】
また、さらに、入力された音声を認識できたことが示されるので、音声入力がうまくいったかどうかを確認した後にリモコン信号を送信することができる。
【００２４】
また、さらに、音声によって入力した指示内容が表示されるので、音声入力した内容を確認することができる。
【００２５】
また、さらに、複数の指示内容を連続的に入力するときに、入力がうまくいった指示内容については、入力した指示内容が、入力した順序で送信されるので、音声によって複数の指示内容を連続して入力することができる。
【発明を実施するための最良の形態】
【００２６】
以下、本発明の実施の形態について図を参照して説明する。
【００２７】
図１は、本発明に係るボイスレコーダの一実施形態の電気的構成を示すブロック線図である。
【００２８】
図において、マイク１には録音対象となる音声が入力される。Ａ／Ｄ変換器２は、マイク１から出力される音声信号をデジタル音声信号に変換し、信号制御回路４に出力する。音声信号記録メモリ３は、例えば、１２８キロバイト等の記憶容量の大きいフラッシュメモリ等によって構成され、信号制御回路４から出力されるデジタル音声信号を記憶する。また、記憶したデジタル音声信号を信号制御回路４に出力する。Ｄ／Ａ変換器５は、信号制御回路４から出力されるデジタル音声信号をアナログ音声信号に変換し、増幅器６に出力する。増幅器６は、Ｄ／Ａ変換器５から出力されるアナログ音声信号を、主制御手段２１から指示された増幅率でもって増幅し、スピーカ７を駆動する。
【００２９】
信号制御回路４は、主制御手段２１からの指示に従って、デジタル音声信号の流れを制御する。すなわち、録音時では、Ａ／Ｄ変換器２から出力されるデジタル音声信号を音声信号記録メモリ３に出力して記録させる。また、再生時では、音声信号記録メモリ３から再生されるデジタル音声信号をＤ／Ａ変換器５に出力することにより、音声をスピーカ７から出力させる。また、音声入力によって、ビデオカセットレコーダやテレビ受像機等のＡＶ機器を遠隔制御するリモートコントローラのモード（以下では、リモコンモードと称する）となるときには、音声信号記録メモリ３に記憶された後、音声信号記録メモリ３から再生されたデジタル音声信号を音声認識手段１１に出力する。
【００３０】
表示手段８は、図２に示す装置本体３１の操作パネル３２に設けられたＬＣＤ等からなる表示装置であり、音声の録音時における情報（図３の８ａにより示す）や、再生時における情報（８ｂにより示す）等が表示される。また、リモコンモードとなるときには、音声によって入力された指示内容等（図４参照）が表示される。
【００３１】
キー入力手段９は、操作パネル３２に設けられた４つのキースイッチ４１〜４４や装置本体３１の側面３３に設けられた図示されないキースイッチ（これらのキースイッチは、ボイスレコーダとして機能するときに使用される）、および、送信キー４８からなり、録音時に入力するフォルダの指示、再生対象となるフォルダの指示や再生時の音量、リモコン信号の送信の指示等が入力される。
【００３２】
音声認識手段１１は、マイク１に入力された音声により示される指示内容を音声認識する。すなわち、辞書１２に予め記憶された認識対象語を参照することによって、音声信号記録メモリ３に記憶され、主制御手段２１を介して導かれたデジタル音声信号の音声認識を行う。そして、音声認識に成功したときには、音声認識によって得られた認識結果である指示内容を主制御手段２１とコード変換手段２２とに出力する。
【００３３】
コード変換手段２２は、コード記憶手段１３に記憶された制御コードと指示内容との対応関係を示すデータを参照することによって、音声認識手段１１により音声認識された指示内容を制御コードに変換する。そして、主制御手段２１から出力の指示が与えられたときには、変換した制御コードを送信手段１５に出力する。送信手段１５は、装置本体３１の上部側端部から赤外線を発光する発光ダイオードＤ１を備えており、コード変換手段２２から出力される制御コードを、リモコン信号（赤外線信号）として送信する。
【００３４】
受信手段１４は、装置本体３１の上部側端部に向けて送信される赤外線信号を受光するためのフォトトランジスタＱ１を備えており、ビデオカセットレコーダ４６に付属するリモートコントローラ４５、等から送信されるリモコン信号（赤外線信号）を受光する。そして、受光により得られたリモコン信号をコード解析手段２３に出力する。
【００３５】
コード解析手段２３は、受信手段１４から出力されるリモコン信号の解析を行うことによって、制御コードと指示内容との対応関係を検出する。そして、検出した制御コードと指示内容との対応関係を示すデータをコード記憶手段１３に出力する。コード記憶手段１３は、コード解析手段２３から出力されるデータであり、制御コードと指示内容との対応関係を示すデータを記憶する。
【００３６】
主制御手段２１は、ボイスレコーダとしての主要動作を制御する。すなわち、録音時では、信号制御回路４の動作を制御することによって、キー入力手段９によって指示されたフォルダに、マイク１に入力された音声を録音させる。また、指示されたフォルダの録音内容が再生されるように信号制御回路４の動作を制御する。また、増幅器６の増幅率を制御して、スピーカ７から出力される音量を増減させる。また、録音されるフォルダや録音時間を示す情報、再生されているフォルダを示す情報、等を表示手段８に表示する。
【００３７】
また、主制御手段２１は、リモコンモードとなる場合、信号制御回路４を制御することによって、音声信号記録メモリ３に記憶されたデジタル音声信号（マイク１に入力された音声を示す音声信号であり、指示内容を示す音声信号）を音声認識手段１１に出力する。そして、音声認識手段１１が音声認識に成功したことを示すときには、音声認識された指示内容を表示手段８に表示するとともに、リモコン信号の送信が可能であることを示す送信可能情報を表示手段８に表示する。また、送信可能情報が表示手段８に表示された状態にあるときに、送信キー４８が操作されると、コード変換手段２２から送信手段１５に制御コードを出力させる（送信手段１５は、コード変換手段２２から制御コードが出力されるとリモコン信号を送信する）。
【００３８】
なお、主制御手段２１、コード変換手段２２、および、コード解析手段２３は、マイクロコンピュータ１６により実行されるソフトウエアを主要部として構成されている。また、コード記憶手段１３は、音声信号記録メモリ３を構成するフラッシュメモリ１０の一部を用いて構成されるようになっている。また、マイク１、Ａ／Ｄ変換器２、音声信号記録メモリ３を構成するフラッシュメモリ１０、信号制御回路４、Ｄ／Ａ変換器５、増幅器６、スピーカ７、表示手段８、および、マイクロコンピュータ１６は、ボイスレコーダとしての構成に不可欠のブロックとなっている。
【００３９】
このため、音声によるリモートコントローラとしての機能を実現するために追加が必要となるハードウエアは、音声認識手段１１、受信手段１４、送信手段１５、および、送信キー４８のみとなっている。つまり、音声による遠隔制御を可能とするために追加されたハードウエアは小規模となっている。
【００４０】
図５は、実施形態の主要動作を示すフローチャートである。以下に、同図を参照しつつ動作説明を行うが、この動作説明に先立ち、制御コードと指示内容との対応関係をコード記憶手段１３に記憶させるときの動作について説明する。
【００４１】
ビデオカセットレコーダ４６を制御する場合では、ビデオカセットレコーダ４６に付属するリモートコントローラ４５を、送信される赤外線が受信手段１４のフォトトランジスタＱ１に受光されるようにした状態で、リモートコントローラ４５のキースイッチを、定められた順序でもって操作する。コード解析手段２３の側では、リモートコントローラ４５のキースイッチが操作され、操作されたキースイッチに対応するリモコン信号が導かれる毎に、リモコン信号に含まれる制御コードを解析する。そして、解析結果である制御コードを、指示内容に対応付けてコード記憶手段１３に記憶する。
【００４２】
すなわち、操作されるキースイッチの順番が、数字の『１』キー、・・・、数字の『９』キー、数字の『０』キー、チャンネルのアップキー、チャンネルのダウンキー、・・・になっているとすると、コード解析手段２３は、最初に受信手段１４が受信したリモコン信号から解析した制御コードを、数字の『１』に対応付けてコード記憶手段１３に記憶する。そして後、続いて受信手段１４が受信したリモコン信号から解析した制御コードを、数字の『２』に対応付けてコード記憶手段１３に記憶する。以下、同様の方法により、リモコン信号から解析した制御コードを、数字の『３』、『４』、・・・、『０』、『チャンネルアップ』、『チャンネルダウン』、・・・に対応付けて記憶する。
【００４３】
以上で、制御コードと指示内容との対応関係をコード記憶手段１３に記憶させるときの動作説明を終了し、実施形態の動作説明に移る。
【００４４】
いま、コード記憶手段１３には、ビデオカセットレコーダ４６に指示を与えるための制御コードと指示内容との対応関係が記憶されているとする。また、動作のモードが、マイク１に入力された音声が音声信号記録メモリ３に録音されるとともに、音声信号記録メモリ３に記録された音声が再生されるモード、すなわち、ボイスレコーダとして動作するモードになっているとする。
【００４５】
上記状態において、送信キー４８を操作すると（ステップＳ１）、動作のモードが、音声をマイク１に入力することによって、ビデオカセットレコーダ４６の遠隔操作が可能になるリモコンモードに変更される（ステップＳ２）。
【００４６】
動作のモードがリモコンモードになると、表示手段８には、図４（Ａ）に示したように、音声により遠隔操作が可能となるモードであることを示す『リモコンモード』（５１により示す）が文字表示される。また、リモコン信号を送信できないことを示すメッセージ５４が表示される。この状態において、マイク１に『デンゲンオン』と発声すると（ステップＳ３）、発声された音声は、デジタル音声信号として音声信号記録メモリ３に記録される（ステップＳ４）。
【００４７】
そして、音声信号記録メモリ３に記録されたデジタル音声信号は、直ちに、音声認識手段１１に出力される。音声認識手段１１の側では、音声信号記録メモリ３から出力されるデジタル音声信号の音声認識を行う（ステップＳ５）。音声認識に成功すると、音声認識手段１１は、入力された音声による指示内容が『電源オン』であることを、主制御手段２１とコード変換手段２２とに出力する。このため、主制御手段２１は、入力された指示内容が『電源オン』であることを表示手段８に表示する（図４（Ｂ）参照）（ステップＳ６，Ｓ７）。また、リモコン信号の送信が可能となっていることを示す送信可能情報５２を表示する（ステップＳ８）。そして後、音声認識の終了かどうかを判定する（ステップＳ９）。
【００４８】
このときでは、入力された音声は、『デンゲンオン』のみであるので、動作は、ステップＳ９からステップＳ１４に移行し、マイク１に、音声が追加して入力されたかどうかと、送信キー４８が操作されたかどうかを調べるループ動作に移行する（ステップＳ１４〜Ｓ１６）。ステップＳ１４〜Ｓ１６のループ動作において、送信キー４８が操作されると、主制御手段２１は、送信の指示をコード変換手段２２に与える。このため、コード変換手段２２は、コード記憶手段１３に記憶された制御コードと指示内容との対応関係を参照することによって、『電源オン』の指示内容に対応する制御コードを取り出す。そして後、取り出した制御コードを含む信号を生成して送信手段１５に出力する。その結果、送信手段１５からは、『電源オン』を指示するリモコン信号（赤外線信号）が送信される（ステップＳ１７）。
【００４９】
一方、上記した一連の動作における音声認識のステップＳ５において、マイク１に入力された音声が小さい、あるいは、音声が不明瞭であった、等の理由により、音声認識に失敗した場合では、音声認識手段１１は、音声認識の失敗を主制御手段２１に知らせる。このため、主制御手段２１は、表示手段８に、音声認識できなかったことを示す記号５５を表示する（図４（Ｃ）参照）（ステップＳ１０）。また、リモコン信号を送信できないことを示すメッセージ５４の表示が継続される。そして後、音声認識に成功した指示内容があったどうかを調べる。このときでは、音声認識に成功した指示内容が無かったので、動作は、ステップＳ１１，Ｓ１２，Ｓ２１と移行し、音声の再入力を促すメッセージ（図４（Ｃ）の５６）が表示され、音声を入力するステップＳ３に移行する。
【００５０】
いま、ステップＳ３の音声の入力において、『デンゲンオン』、『チャンネルロク』、『ロクガ』の３つの音声が入力されたとする。このときでは、３つの音声を示すデジタル音声信号が音声信号記録メモリ３に記録される（ステップＳ４）。そして音声信号記録メモリ３に記録されたデジタル音声信号は、音声認識手段１１に出力される。
【００５１】
音声認識手段１１の側では、音声信号記録メモリ３から出力されるデジタル音声信号の音声認識を行う（ステップＳ５）。音声認識に成功すると、音声認識手段１１は、入力される音声による指示内容が『電源オン』であることを、主制御手段２１とコード変換手段２２とに出力する。このため、主制御手段２１は、入力された指示内容が『電源オン』であることを表示手段８に表示する（図４（Ｄ）の６１により示す）（ステップＳ６，Ｓ７）。また、リモコン信号の送信が可能なことを示す送信可能情報５２を表示する（ステップＳ８）。そして後、音声認識の終了かどうかを判定する（ステップＳ９）。
【００５２】
このときでは、入力された音声は、『デンゲンオン』、『チャンネルロク』、『ロクガ』の３つであるので、動作は、ステップＳ９からステップＳ５に移行し、『チャンネルロク』を示すデジタル音声信号の音声認識が行われる。そして、音声認識に成功すると、音声認識手段１１は、入力された音声による指示内容が『チャンネル６』であることを、主制御手段２１とコード変換手段２２とに出力する。このため、主制御手段２１は、入力された指示内容が『チャンネル６』であることを表示手段８に表示する（６２により示す）（ステップＳ６，Ｓ７）。また、リモコン信号の送信が可能なことを示す送信可能情報５２の表示を継続する（ステップＳ８）。そして後、音声認識の終了かどうかを判定する（ステップＳ９）。
【００５３】
以下では、再び、ステップＳ５から始まる動作が実行され、『ロクガ』を示すデジタル音声信号に対して同様の動作が実行される。このため、ステップＳ８の動作が終了したときには、表示手段８には、『電源オン』６１、『チャンネル６』６２、『録画』６３の３つの文字表示が、指示内容として表示される。そして後、ステップＳ１４〜Ｓ１６のループ動作が実行される。従って、このときに送信キー４８を操作すると、送信手段１５からは、電源をオンするためのリモコン信号が送信され、次いで、受信するチャンネルを６チャンネルとするためのリモコン信号が送信され、さらに続いて、録画を指示するリモコン信号が送信される（ステップＳ１６，Ｓ１７）。
【００５４】
一方、上記した一連の動作における音声認識のステップＳ５において、マイク１に入力された音声のうち、『ロクガ』を示すデジタル音声信号の音声認識に失敗した場合、動作は、ステップＳ６からステップＳ１０に移行して、『ロクガ』を示すデジタル音声信号の音声認識に失敗したことを示す記号（図４（Ｅ）の６５により示す）が表示される。そして、このときでは、既に音声認識に成功した指示内容があるため、動作は、ステップＳ１１，Ｓ１２，Ｓ１３と移行し、送信可能情報５２の表示が継続される。
【００５５】
そして後、ステップＳ１４〜Ｓ１６のループ動作が実行される。従って、このときに送信キー４８を操作すると、送信手段１５からは、電源をオンするためのリモコン信号が送信され、次いで、受信するチャンネルを６チャンネルとするためのリモコン信号が送信される（ステップＳ１７）。
【００５６】
一方、ステップＳ１４〜Ｓ１６のループ動作が実行されている状態において、マイク１に、『ロクガ』を入力すると、動作は、ステップＳ１５からステップＳ４に移行し、マイク１に入力された音声の『ロクガ』が、デジタル音声信号として音声信号記録メモリ３に記録される。そして、ステップＳ５からの動作が始まる。このステップＳ５の動作において音声認識に成功すると、音声認識に失敗したことを示す記号６５の表示が停止され、代わって、音声認識に成功した指示内容である『録画』（（Ｄ）の６３により示す）が表示される。そして、この状態において送信キー４８を操作すると、送信手段１５からは、電源をオンするためのリモコン信号が送信され、次いで、受信するチャンネルを６チャンネルとするためのリモコン信号が送信され、さらに続いて、録画を指示するリモコン信号が送信される（ステップＳ１７）。
【００５７】
以下に補足的な説明を行うと、リモコンモードになった状態から、音声の録音と再生とを行うボイスレコーダとしてのモードに移行する操作としては、リモコンモードにおいて使用されることのないキースイッチを操作する構成（例えば、キースイッチ４１〜４４のいずれかを操作する構成）とすることができる。
【００５８】
なお、本発明は上記実施形態に限定されず、表示手段については、ＬＣＤ８を備えた表示装置とした場合について説明したが、より簡単な構成としては、図６に示したように、表示手段をＬＥＤ７１とし、送信可能情報の表示方法を、ＬＥＤ７１を点灯する方法、あるいは、ＬＥＤ７１を点滅表示する方法、等とすることができる（７２は送信キー、７３はマイク、７４は、送信手段の発光ダイオードを示し、７５は、制御対象のテレビ受像機を示している）。
【００５９】
すなわち、この実施形態は、図１〜図５を参照して説明した実施形態から、音声認識が成功した指示内容を表示する構成、音声認識に失敗したことを表示する構成、再入力を促す表示を行う構成が省略された構成（図５におけるステップＳ７，Ｓ１０，Ｓ２１のステップを省略した構成）となっている。このため、音声認識手段１１が音声により示される指示内容の音声認識に成功したときにも、音声認識に成功した指示内容は表示されず、単に、制御コードが送信可能であることを示す送信可能情報が、表示手段であるＬＥＤ７１を用いて表示される。そして、送信可能情報がＬＥＤ７１により表示された状態において送信キー７２を操作すると、リモコン信号が送信される。
【００６０】
また、コード記憶手段１３については、コード解析手段２３によって解析された制御コードと指示内容との対応関係を記憶する構成とした場合について説明したが、その他の構成として、遠隔制御しようとする装置に固有の制御コードと指示内容との対応関係を、実施形態の製造段階において、コード記憶手段１３に予め記憶させ、受信手段１４とコード解析手段２３とを省略した構成とすることができる。
【図面の簡単な説明】
【００６１】
【図１】本発明に係るボイスレコーダの一実施形態の電気的構成を示すブロック線図である。
【図２】実施形態の操作面の様子を示す説明図である。
【図３】表示手段における録音時の表示内容と再生時の表示内容とを示す説明図である。
【図４】音声によって指示を入力したときの表示手段の表示内容を示す説明図である。
【図５】実施形態の主要動作を示すフローチャートである。
【図６】表示手段をＬＥＤとしたときの実施形態の操作面の様子を示す説明図である。
【符号の説明】
【００６２】
１  マイク
３  音声信号記録メモリ
８  表示手段
１０  フラッシュメモリ
１１  音声認識手段
１３  コード記憶手段
１４  受信手段
１５  送信手段
２２  コード変換手段
２３  コード解析手段
４８  送信キー
７１  表示手段であるＬＥＤ
７２  送信キー
７３  マイク
【図１】
2005292693.tif 000003
【図２】
2005292693.tif 000004
【図３】
2005292693.tif 000005
【図４】
2005292693.tif 000006
【図５】
2005292693.tif 000007
【図６】
2005292693.tif 000008